(57)【要約】      （修正有）【課題】陸からの大型、中型魚釣りで、リールのスプールを緩め、置き竿をして、他の事をして暇を潰している人に、魚が掛かりスプールから道糸が出ていることを、リールに発音機構もしくは発光機構を設けて、知らせることができるリールを提供する。【解決手段】置き竿のスピニングリール１１ｂに、ローターは回らずスプール部１１ｂ−１のみが回転するのを感知するセンサー又は、音を出す発音手段（発音構造）を設け、スプール部１１ｂ−１のみが回転し道糸がどんどんでていくのを音で（光で）しらせるスピニングリール１１ｂ。【選択図】図１
2014108087.tif 000002
【特許請求の範囲】
【請求項１】
スピニングリールの、ローターは回らずスプール部のみの回転を、振音発生構造、又は回転感知センサーを設け、音を出す機構を備えるものであることを特徴とする、発音構造を有するリール。
【請求項２】
上記スピニングリールの音を出す機構がスプール部の内空間部に、振音発生構造を設けたもので、
上記振音発生構造はリールの中心軸に振音体を懸吊する懸吊体と、上記懸吊体に振音体を懸吊して設け、
リールのスプール部内面に上記懸吊体の振音体に振動を与え、振音体を振動させる、少なくとも１個の凸片を設け、
上記懸吊体とスプール部内面に設けた凸片との激突により
上記振音体に振動を与え、振動により発音する構造を設けた、発音構造を有するリール。
【請求項３】
上記スピニングリールの音を出す機構がスプール部及びローターの何れかもしくは両方に少なくとも１個の一方のセンサーを設け、
前記一方のセンサーに対する発信・受信体を他方のセンサーとし、マイクロコントローラー制御機構として、
前記マイクロコントローラと発音部を上記スピニングリール本体の何れかの部分に収納部を設け収納し、
スプール部のみが回転するのをセンサーで感知し、発音部から発音する構造を設けた、発音構造を有するリール。

【発明の詳細な説明】
【技術分野】
【０００１】
すずき（はね）ぶり（はまち、）さわら、かんぱち，ひらめ、しまあじ、等の沿岸回遊大型魚・中型魚釣りのリールに、関する技術である。
【背景技術】
【０００２】
リールのドラックを緩めて、置き竿をして当たりを待つ釣法に使用するリールで、魚が掛かりリールのスプールから道糸がどんどん出て行っているのを、音で知らせる発音機構を有する、スピニングリールに関する公開先行文献は見つける事が出来なかった。
特許出願人  ・  識別番号、  ３０５０５１８８６・  泉  寛治（発明の）の、
文献特願２０１２−０９０８０のみである。
【先行技術文献】
【特許文献】
【０００３】
【特許文献１】特願２０１２−０９０８０６
【０００４】
先端に錘を付け、続いて水中浮きを付けて投げ竿で投げ、後着けで生き餌を付けた枝ハリス（８）を、海中に降ろしリールを巻いて道糸を張り、生き餌を付けた枝ハリスを魚道に近い棚に導き入れ、大型魚釣りの初心者でも浮き釣より勝る釣果を得られる、泳がせ釣りで使用する発音機構を有する、スピニングリールに関する技術（例えば特許文献１）がある。
【発明の概要】
【発明が解決しようとする課題】
【０００５】
すずき（はね）ぶり（はまち、）さわら、かんぱち，ひらめ、しまあじ、等の沿岸回遊大型魚・中型魚釣りで、リールのドラックを緩めて、置き竿をして当たりを待つ釣法に於いて、魚が掛かりリールのスプールから道糸がどんどん出て行っているのを、音で知らせる発音機構を有する、スピニングリールは無いので、竿の先端に鈴をつけているが、大型魚・中型魚釣りでは1日に数回当たりが有れば良いほうなので、釣り人は暇を持て余し数ｍ〜十数ｍ離れたところで、小魚釣りをしたり、数人が集まって釣り談義をしたり、生き餌の予備を釣ったり、又釣り友の釣法について評価、評論等十数ｍ離れたところでしていて、魚が掛かり、リールのスプールから道糸がどんどん出て行っているのに気づくのが遅れ、又は竿の置き竿の位置迄行く間に距離があり、竿の位置迄行った時には、道糸が全部出ていたり、道糸の残りが少なくなっていて、慌ててドラッグを締めて糸切れに繋がったりして、貴重なチャンスを逃してしまう事が1〜2割発生している。
（鈴では音が小さいのと、特に風が強めに吹いたり、雨がふったりすると、道糸がガイドに絡んだりするので、鈴では不十分である）
この貴重なチャンスをモノにする事が課題である。
【課題を解決するための手段】
【０００６】
第一の発明は、スピニングリール（１１ｂ）の、ローター（１１ｂ−２）は回らずスプール部（１１ｂ−１）のみの回転を振音発生構造、又は回転感知するセンサーを設け、音を出す機構を備えるものであることを特徴とする、発音構造を有するリールを提供する。
第二の発明は上記スピニングリールの音を出す機構で、魚が掛かりリールのスプールから道糸がどんどん出て行っているのを、音で知らせる発音機構を有する、スプール部（１１ｂ−１）の内空間部に、振音発生構造を設けたものの一例で、
上記振音発生構造はリールの中心軸（１１ｂ−２ａ）に振音体を懸吊する懸吊体（１１ｂ−１ａ）と、上記懸吊体に振音体｛１１ｂ−１ｂ，（１１ｂ−１ｃ）｝を懸吊して設け、
リール（１１ｂ）のスプール部（１１ｂ−１）内面に上記懸吊体の振音体に振動を与え、振音体を振動させる、少なくとも１個の凸片（１１ｂ−１Ｂ）を設け、
上記懸吊体とスプール部（１１ｂ−１）内面に設けた凸片（１１ｂ−１Ｂ）の激突により
上記振音体に振動を与え、振動により発音する構造を設けた、発音構造を有するリールを提供する。
第三の発明は上記スピニングリール（１１ｂ）の音を出す機構がスプール部（１１ｂ−１）及びローター（１１ｂ−２）の何れかに少なくとも１個の一方のセンサー（例えば１１ｂ−１ｒ１〜１１ｂ−１ｒ６）を設け、
前記一方のセンサーに対する発信・受信体（例えばトランスデューサー１１ｂ−２ｆ１〜１１ｂ−２ｇ）を他方のセンサーとし、マイクロコントローラー制御機構として、
前記マイクロコントローラと発音部を上記スピニングリール本体の何れかの部分に収納部（１１ｂ−２ｄ）を設け
スプール部のみが回転するのをセンサーで感知し、発音部から発音する構造を設けた、発音構造を有するリールを提供する。
【０００７】
上記スピニングリールの、ローター（１１ｂ−２）は回らずスプール部（１１ｂ−１）のみが回転するのを感知する構造、又は回転するのを感知するセンサー（例えば１１ｂ−１ｒ１〜１１ｂ−１ｒ６）を設け、音を出す機構を発明して解決した。
【発明の効果】
【０００８】
当たりが無い時の暇つぶしが安心して出来、釣果が少なくとも1割は上がった。
【０００９】
歯を有する中型魚に餌を取られる当たりも感知出来る確率が上がった
【図面の簡単な説明】
【００１０】
【図１】（イ）スピニングリールの上面図、部分断面図（１１ｂ−Ｚａ）          （ロ）振音体の（一例鈴体の）懸吊（一部断面）図          （ハ）振音体の（一例筒体の）懸吊（一部断面）図          （ホ）ハの受振動時の状態（一部断面）図          （ヘ）イの側面図（一例筒体の）懸吊図（一部断面）          （ト）イの側面図（一例鈴体の）懸吊図（一部断面）
【図２】（イ）リード機構の発音機構のスピニングリールの側面図、部分断面図                  （ロ）イの上面図、部分断面図          （ハ）リード機構の透視図、部分断面図
【図３】（イ）スプールと支持アーム体に発音機構を設けた、スピニングリールの側面図、部分断面図          （ロ）イの上面図、部分断面図  ・（ａ）、（ｂ）発音、作動要領図
【図４】（イ）電気制御を使用した発音機構のスピニングリールの側面図、          （ロ）イの上面図、部分Ｍ−Ｍ断面図            （ハ）ロのＸ部拡大図・距離の差の検知する、媒体エネルギーの反射体の設置要領図          （ホ）ハと同様な媒体エネルギーの反射率の差の反射体の検知要領図          （ヘ）スプールに割溝を設け媒体エネルギーの反射の有無の検知要領図          （ト）媒体エネルギーの反射角度を受信体に集中させる物の検知要領図                （チ）反射体を磁性体に媒体エネルギーを磁気にした検知要領図          （リ）トのＰ矢視図          （ヌ）トのＮ矢視図
【図５】分割前の特願２０１２−０９８０６での釣りでのリールの使用概略図
【発明を実施するための形態】
【００１１】
本願は遠投のきくスピニングリールで記載しているがその他の形式のリールにも応用できる。
【００１２】
ＩＣチップを使用のマイクロコントローラー（ワンチップマイコン）で記載しているが、
他の電気制御回路を使用することも出来る。
【実施例】
【００１３】
図面に於けるそれぞれの寸法関係は、重要部分は拡大し、詳細が解り難いところは誇張している、また広範囲部分、又は本願発明で重要度の低い部分を、記載する時は縮小している、従って図面間及び図面内の寸法は比例していないし、実寸、縮尺寸法ではない。
又線間の間隔が狭い場合スキャンの段階で黒く太く１本の線に成り易いので、線間の間隔を広げたり、１本の線で書いていたりしている。
更に本願発明の根幹（主要）機構以外部に付いては、図面間で省略している部分もある。
【００１４】
第一の発明は、スピニングリール（１１ｂ）の、ローター（１１ｂ−２）は回らずスプール部（１１ｂ−１）のみが回転するのを感知する構造、又は回転するのを感知するセンサーを（例えば１１ｂ−１ｒ１〜１１ｂ−１ｒ６）設け、音を出す機構を備えるものであることを特徴とする、発音構造を有するリールを提供する。
スピニングリールのドラッグを緩め置き竿状態で、当たりがあり、大型魚が沖方向に逃げる時、リールのローター（１１ｂ−２）本体は回らず、スプール部（１１ｂ−１）のみが回転する時、音を出す機構を設けたもので、本願発明は浮き釣りと違って置き竿をして当たりを待つ、ぶっこみ釣り（1日に数回当たりが有れば良いほう）なので暇を持て余し、小魚を釣たりして暇を潰したりしているので、大型魚が掛かり沖方向に逃げ、スプール部（１１ｂ）から道糸がどんどん出てっている事に気付かず、道糸が全部出てしまつていたり、気が付いた時にはスプールの糸が少なく成っていて、慌ててリールのドラッグを締めたりして糸切れし、数少ないチャンスをのがす事が１〜３割発生している。
この状態を本願発明の音を出す機構を設けることで、数少ないチャンスをものにする事が出来る。（掛った魚の取り込み率が少なくとも1割は上がる）    
【００１５】
第二の発明は上記スピニングリールの音を出す機構がスプール部（１１ｂ−１）の内空間部に、振音発生構造を設けたもので、
上記振音発生構造はリールの中心軸（１１ｂ−２ａ）に振音体を懸吊する懸吊体（１１ｂ−１ａ）と、上記懸吊体に振音体｛１１ｂ−１ｂ，（１１ｂ−１ｃ）｝を懸吊して設け、
リール（１１ｂ）のスプール部（１１ｂ−１）内面に上記懸吊体の振音体に振動を与え、振音体を振動させる、少なくとも１個の凸片（１１ｂ−１Ｂ）を設け、
上記懸吊体とスプール部（１１ｂ−１）内面に設けた凸片（１１ｂ−１Ｂ）の激突により
上記振音体に振動を与え、振動により発音する構造を設けた、発音構造を有するリール。
上記第二の発明に記載の、発音機構Ａタイプ1例であって、１図に記載の発音機構はスピニングリール（１１ｂ）のローターの中心軸（１１ｂ−２ａ）に、嵌合し（周り止め付）、受振動により発音する振音体を懸吊する懸吊体（１１ｂ−１ａ）を設け、前記懸吊体には少なくとも１個の受振動により発音する振音体｛１１ｂ−１ｂは鈴体で（ロ図）金属でも樹脂（鈴の外郭体の一例はポリスチレン製で、中には金属の玉が少なくとも１個入っている）でも良く｝を懸吊して設け、前記スプール部の内面に少なくとも１個の弾性性状を有する凸片（この図の場合はスプール部上から下方に向けて固着され、かつ、懸吊体の支持柱部にスプールが回れば当たり、更に回れば弾性力で懸吊体の支持柱部を乗り越え弾性復帰力で元に戻り続いて回ってくる懸吊体の支持柱部に当たるを繰り返す凸片、１１ｂ−１Ｂである）を設け（イ・ヘ・ト図）、前記凸片と懸吊体の激突により振音体に振動を与え、振音体を振動させて、音を発生させるものである。
【００１６】
図１（ハ）・（ホ）に記載の振音体（１１ｂ−１ｃ）は上記発音機構Ｂタイプ1例であって、前段落に記載の振音体｛１１ｂ−１ｂ、の鈴体が筒体構造のチャペルの鐘のイメージに変わった物で）筒体の一方の端面に蓋をして中に打撃構造体を設けたもので、前記打撃構造体は先端部に固い打撃体を固着した線体もしくは棒体（１１ｂ−１ｆ）を、筒体の一方の端面に蓋をした蓋の中心部を貫通し、前記懸吊体に、懸吊し、かつ，前記線体もしくは棒体には、前記筒体が抜け落ちない凸部（１１ｂ−１ｃ２）を設け釣支した物で、
発音機構はスピニングリール（１１ｂ）のローターの中心軸（１１ｂ−２ａ）に、嵌合し（周り止め付）、受振動により発音する振音体を懸吊する懸吊体（１１ｂ−１ａ）を設け、前記懸吊体には少なくとも１個の受振動により発音する振音体（１１ｂ−１ｃ）を懸吊して設け、前記スプール部の内面に少なくとも１個の弾性性状を有する凸片（この図の場合はスプール部上から下方に向けて固着され、かつ、懸吊体の支持柱部にスプールが回れば当たり、更に回れば弾性力で懸吊体の支持柱部を乗り越え弾性復帰力で元に戻り続いて回ってくる懸吊体の支持柱部に当たるを繰り返す凸片、１１ｂ−１Ｂである）を設け（イ・ヘ・ト図）、前記凸片と懸吊体の激突により振音体に振動を与え、振音体を振動させて、音を発生させるものである。
大型魚が掛かりリールのローター本体（１１ｂ−２）は回らず、スプール部のみが回り、道糸がどんどん出てっている事を音で釣り人に知らせる、リールの発音機構の１例である。
【００１７】
上記第二の発明に記載の、発音機構Ｃタイプ一例であって前記発音機構はスピニングリール（１１ｂ）
のスプール部（１１ｂ−１）の外周側面に少なくとも１個の集気翼（１１ｂ−１ｑ）を大径方向に突き出す形にして設け、前記集気翼奥に（サクソフォーンや玩具のラッパ等の気鳴楽器のマウスピース等に設けられている）集気された空気の通過により振動し発音するリード機構｛（１１ｂ−１ｈ〜１１ｂ−１ｊ）｝を嵌入する嵌合穴をスプール部の外周側面に設けリード機構体を嵌入固着して設け前記リード機構で発音した音を、前記リールスプール下部の開口部（１１ｂ−１ｋ）を、音を放音する放音口として設けたリールの発音機構。
【００１８】
図２は前記発音機構の例図であって前記発音機構はスピニングリールのスプール部（１１ｂ−１）に集気翼（１１ｂ−１ｑ）をスプールの外周側面の大径方向に突き出す形にして設け、更にリード機構（ハ図）を取り付けた１部断面図で、本願発明ではリールのドラッグ｛図２（イ）で見る時スプール部（１１ｂ−１）の左端の凸部がドラッグの締め・弛めの操作部であり、この摘み部分を緩め方向に回す（大多数のリールは時計回りに回せば締まる)ことを、ドラッグを締めると言う、締めているとリールのローター本体（１１ｂ−２）が回りスプール部（１１ｂ−１）は回らず道糸は巻ける、ドラッグの緩め加減により、｛自動車のクラッチ（オートマチックではない）の半クラッチと同じ様に締着不十分状態で、回り方が滑りながら回る様に成り、完全に緩めるとローターを回してもスプール部は付いて回る状態になる｝、リールのハンドルを回してもスプールは付いて回る状態にセットして置き竿をしているので、魚が掛かりリールのローター本体は回らず、スプール部のみが回ると上記スプール部（１１ｂ−１）に設けた集気翼（１１ｂ−１ｑ）から集気した空気が、リード機構の筒体（１１ｂ−１１）に入り、筒体（１１ｂ−１１）内のリードにより発音する、リールの発音機構のリード機構（ハ図）を発音機構としたもので有る。
【００１９】
リード機構は多数種あるがその中の１例として図２（ハ図）を説明する、
例示しているリード機構は、シングルリードと呼ばれている物で、一枚の薄片が振動し音を出す振動片（１１ｂ−１ｈ２）と、薄片の振動音を共鳴させる共鳴部（１１ｂ−１ｈ１）と、それらの収納筒体部（１１ｂ−１ｊ）と、前記振動片と共鳴部とを収納筒体部に支持する支持部（１１ｂ−１ｈ３）とで構成され、収納筒体部の左右何れかから空気が、前記振動片と共鳴部との入り口の間から吹き込まれる時、前記振動片が振動し前記共鳴部で拡音され音を出すもので、リード機構全てをプラスチック製にすることも出来る。
【００２０】
上記第二の発明に記載の、発音機構Ｄタイプ一例であって、前記発音機構はスピニングリールのスプール部（１１ｂ−１）の外周側面に、少なくとも１個の軸線方向の凸部（１１ｂ−１ｍ２）と軸線方向に固着した弾性板（１１ｂ−１ｎ）を一方の振音発生機構として設け、前記一方の振音発生機構に打撃を与え発音さす打撃構造体をリール支持アーム体（１１ｂ−２ｂ）に他方の振音発生機構として設け、前記設けたリール支持アーム体には、リールのスプール部の巻糸動作による上下動に対応可能な少なくとも１個の打撃部（１１ｂ−２ｃ２）と、打撃部を保持（固定）するリール軸線方向に設けた保持体（１１ｂ−２ｃ１）を、前記スプール部の外周側面に付勢（付勢機構の弾性体は１１ｂ−２ｃＤ）させて設け、｛前記付勢機構は、打撃部を保持（固定）するリール軸線方向に保持体（１１ｂ−２ｃ１）の下部｛図２１（イ）で見る時左上角部｝に弾性体と弾性体保持機構を設けて常にスプール部の外周側面に付勢させている、｝ローター本体（１１ｂ−２）は回らず、スプール部（１１ｂ−１）のみの回転により、一方の振音発生機構と他方の振音発生機構の打撃部との（付勢力による）激突（１１ｂ−１）により、音を出す機構で、
【００２１】
図３（イ）、はスピニングリールのローター本体（１１ｂ−２）とスプール部（１１ｂ−１）の側面図で、実線のスプール部は上下動する時の最上に位置した図で、仮想線のスプール部は最下に位置した図であり、スプール部の外側周面に軸線方向の凸部（１１ｂ−１ｍ２）と軸線方向に固着した弾性板（１１ｂ−１ｎ）を設け、リール支持アーム体（１１ｂ−２ｂ）に打撃部（１１ｂ−２ｃ２）と打撃部を保持（固定）するリール軸線方向に保持体（１１ｂ−２ｃ１）を、前記スプール部の外周側面に付勢させて設けた１例図で、図２１（ロ）、は（イ）の上面図で部分Ｌ−Ｌ断面図であり、前述側面図のスプール部とリール支持アーム体に設けた振音発生機構の配置を上面図で（部分Ｌ−Ｌ断面図で）表した物で、
（ロ）でスプール部のみが回り、リール支持アーム体と一体のローター本体（１１ｂ−２）は回らない時、スプール部が矢印（時計）方向に回ると、打撃部を保持（固定）している保持体（１１ｂ−２ｃ１）の打撃部（１１ｂ−２ｃ２）が、スプール部（１１ｂ−１）の外周側面に設けた、軸線方向の凸部（１１ｂ−１ｍ２）に乗り上げ（ロ、ｂ図）、更に回ると前記凸部を乗り越え付勢している弾性体（１１ｂ−２ｃＤ）の弾性復帰力により弾性板（１１ｂ−１ｎ）に激突し（ロ、ａ図）打撃音を発生させるリールの発音機構。
【００２２】
前記発音機構のＡ〜Ｄタイプに記載の発音機構から発振された音波を、マイクロコントローラー（ワンチップマイコン）を設け、前記マイクロコントローラーを収納する、収納ボックス（１１ｂ−２ｂ・図２２イ、ロ、リ、ヌ）を、一例としてリール支持アーム体（１１ｂ−２ｂ）に設け収納し、マイクロコントローラにて振動音波を受け、受けた振動音波を拡音し、スピーカ部（１１ｂ−２ｈ）で拡音した音を出し、数ｍから、十数ｍ離れた位置にいる、当該釣竿で釣ろうとしている釣り人に、大型魚が掛かり、道糸がどんどん出ていつている事を知らせる物で、４図記載の収納ボックスは一例としてリール支持アーム体（１１ｂ−２ｂ）に設けているがリール本体部の設置出来る場所なら何れの場所でも良い。
【００２３】
前記発音機構のＡ〜Ｄタイプに記載の発音機構で、ドラッグを緩め、置き竿をした時、前段落に記載のマイクロコントローラの制御は、マイクロコントローラの電源スイッチを手動でＯＮ→発音機構から発振された音波受け→スピーカ部（１１ｂ−２ｈ）で拡音した音を発音→（置き竿を取り）ローター又はリールハンドルを回す等、道糸巻きあげ動作（前記糸巻動作をするとスプールが上もしくは下に動く）検知→マイクロコントローラのスイッチを自動でＯＦＦ（電源は乾電池を代表とするポータブルな物）、の制御回路での、スピニングリールの発音機構。
【００２４】
第三の発明は上記スピニングリールの音を出す機構がスプール部（１１ｂ−１）及びローターの何れかに少なくとも１個の一方のセンサー（例えば１１ｂ−１ｒ１〜１１ｂ−１ｒ６）を設け、
前記一方のセンサに対する発信・受信体（例えばトランスデューサー１１ｂ−２ｆ１〜１１ｂ−２ｇ）を他方のセンサーとし、マイクロコントローラー制御機構として、
前記マイクロコントローラと発音部を上記スピニングリール本体の何れかの部分に収納部を設け
スプール部のみが回転するのをセンサーで感知し、発音部から発音する構造を設けた、発音構造を有するリールを提供する。
上記発音機構（発音装置）はスピニングリールのスプールの外側周面に少なくとも１個の一方のセンサー
（例えば１１ｂ−１ｒ１は、スプール部に軸線方向に設けた切り割溝４図ヘ、１１ｂ−１ｒ２はスプール部に軸線方向に設けた媒体エネルギーの反射体で−４図ロ  １１ｂ−１ｒ３は反射の距離の差を検知させる媒体エネルギーの反射体で−４図ハ、１１ｂ−１ｒ４は前記媒体エネルギーの反射体で、スプール部の反射率と反射率が異なり制御部で判別できるもの（例えば鏡面・蛍光体等）−４図ホ  １１ｂ−１ｒ５は凹面鏡体を代表とする凹面鏡部の媒体エネルギーの反射角度をセンサーの媒体エネルギーの受信体に集中させる物−４図ト、（１１ｂ−１ｒ６は磁石を代表とする磁性体−４図チ）を設け、前記一方のセンサーに対する発信・受信体（例えばトランスデューサー１１ｂ−２ｆ１〜１１ｂ−２ｇ）を他方のセンサーとし、前記媒体エネルギーを例えば→光（１例としてＬＥＤ）、磁気、超音波、等としてマイクロコントローラー（ワンチップマイコン）を、前記マイクロコントローラーを収納する、収納ボックス（１１ｂ−２ｂ）に収納して設け、前記センサーからの信号をマイクロコントローラにて制御し、スピーカ部（１１ｂ−２ｈ）から音を出すリールの発音機構で、ドラッグを緩め、置き竿をした時、マイクロコントローラの電源スイッチをＯＮ→センサーが一定時間（例えば１秒とか１０秒間）に、ＯＮ．ＯＦＦを繰り返す回数が設定回数になると→スピーカ部（１１ｂ−２ｈ）から音を出す→（置き竿を取り）ローター又はリールハンドルを回す等、道糸巻きあげ動作（前記糸巻動作をするとスプールが上もしくは下に動く）検知→マイクロコントローラのスイッチをＯＦＦ（電源は乾電池を代表とするポータブルな物）、制御回路での、スピニングリールの発音機構であり、前記制御回路は一例であり、電気制御機構を使用した事を特徴とする、スピニングリールの発音機構
【００２５】
上記に記載のマイクロコントローラー（ワンチップマイコン）を使用した発音機構であって、リール本体にスプールを回動自在に軸支したリールに、スプールのみの回転を、感知するセンサーと、スピーカ部（１１ｂ−２ｈ）部もしくは発光部（１１ｂ−２ｋ）と、もしくは発音部と発光部両方と設け、前記センサーからの信号をマイクロコントローラにて制御し、リールのドラッグを緩め、リールのハンドルを道糸の巻方向に回しても、道糸を巻かずスプールは回る状態で、大型魚が掛かり、道糸が引っ張られ、前記スプールのみが回転し、道糸がどんどん出ていつていることを、音を出すか、もしくは発光するかして、置き竿をして数メートル離れて別の事をしている、釣り人に知らせる、マイクロコントローラ制御を使った発音機構（発光機構）。
【符号の説明】
【００２６】
１１ａ      竿本体。
１１ｂ，    リール（スピニングリール）。
１１ｂ−１  リールのスプール（
１１ｂ−１Ｂ、スプール内面に設けた凸片  ・
１１ｂ−１Ｚａスプール内面の懸吊状態を示す断面部、  ・
１１ｂ−１ａ、懸吊体    ・
１１ｂ−１ｂ,鈴体を代表とする振音体  ・
１１ｂ−１ｃ，筒体で構成した振音体  ・
１１ｂ−１ｄ，振音体の懸吊体への懸吊部  ・
１１ｂ−１ｅ，鈴体内の鋼鉄又は準ずる物  ・
１１ｂ−１ｆ，振音体打撃部を固定している棒体もしくは線体  ・
１１ｂ−１ｈ，リード機構  ・
１１ｂ−１ｈ１，振音を共鳴させる共鳴部  ・
１１ｂ−１ｈ２，薄片の振動片  ・
１１ｂ−１ｈ３，共鳴部と振動片とを支持する筒体支持部  ・
１１ｂ−１ｊ，共鳴部と振動片と筒体支持部を収納する筒体  ・
１１ｂ−１ｋスプール下部の開口部  ・
１１ｂ−１ｑ集気翼，  ・
１１ｂ−１ｍ１，スプール外周面  ・
１１ｂ−１ｍ２，外周面の凸部  ・
１１ｂ−１ｎ，外周面の弾性板  ・
１１ｂ−１ｐ，外周面の切割溝部  ・
１１ｂ−１ｒ１，外周面のセンサーエネルギー通過溝  ・
１１ｂ−１ｒ２，センサー媒体エネルギーの反射体  ・
１１ｂ−１ｒ３、媒体エネルギーの差を感知させる反射体  ・
１１ｂ−１ｒ４、エネルギーの反射率の異なる反射体  ・
１１ｂ−１ｒ５、エネルギーの反射角度の異なる反射体  ・
１１ｂ−１ｒ６磁石エネルギーのセンサー  ・
１１ｂ−１ｐ，外周面の切割溝部。
１１ｂ−２，リールのローター部
１１ｂ−２ａ、ローター部の中心軸  
１１ｂ−２ｂ, リールの支持アーム  
１１ｂ−２ｃ１, 支持アーム保持体  
１１ｂ−２ｃ２, 支持アーム保持体に固着されている打撃部
１１ｂ−２ｃＤ,付勢機構の弾性体  
１１ｂ−２ｄ、マイクロコントローラー収納ボックス,   
１１ｂ−２ｅ，光発信ランプ、
１ｂ−２Ｆ１、媒体エネルギーの受信部  
１１ｂ−２Ｆ２、媒体エネルギーの発信部、
１１ｂ−２ｈ,スピーカー部、
１１ｂ−２ｊ,集音マイク部）。
１４、      当たりを知らせる物（例えば音を出すもの）。
【図１】
2014108087.tif 000003
【図２】
2014108087.tif 000004
【図３】
2014108087.tif 000005
【図４】
2014108087.tif 000006
【図５】
2014108087.tif 000007
【手続補正書】
【提出日】平成25年3月13日(2013.3.13)
【手続補正１】
【補正対象書類名】明細書
【補正対象項目名】全文
【補正方法】変更
【補正の内容】
【発明の詳細な説明】
【技術分野】
【０００１】
すずき（はね）ぶり（はまち、）さわら、かんぱち，ひらめ、しまあじ、等の沿岸回遊大型魚・中型魚釣りのリールに、関する技術である。
【背景技術】
【０００２】
リールのドラックを緩めて、置き竿をして当たりを待つ釣法に使用するリールで、魚が掛かりリールのスプールから道糸がどんどん出て行っているのを、音で知らせる発音機構を有する、スピニングリールに関する公開先行文献は見つける事が出来なかった。
【先行技術文献】
【特許文献】
【０００３】
【特許文献１】特願２０１２−０９０８０６
【０００４】
先端に錘を付け、続いて水中浮きを付けて投げ竿で投げ、後着けで生き餌を付けた枝ハリス（８）を、海中に降ろしリールを巻いて道糸を張り、生き餌を付けた枝ハリスを魚道に近い棚に導き入れ、大型魚釣りの初心者でも浮き釣より勝る釣果を得られる、泳がせ釣りで使用する発音機構を有する、スピニングリールに関する技術（例えば特許文献１）がある。
【発明の概要】
【発明が解決しようとする課題】
【０００５】
すずき（はね）ぶり（はまち、）さわら、かんぱち，ひらめ、しまあじ、等の沿岸回遊大型魚・中型魚釣りで、リールのドラックを緩めて、置き竿をして当たりを待つ釣法に於いて、魚が掛かりリールのスプールから道糸がどんどん出て行っているのを、音で知らせる発音機構を有する、スピニングリールは無いので、竿の先端に鈴をつけているが、大型魚・中型魚釣りでは1日に数回当たりが有れば良いほうなので、釣り人は暇を持て余し数ｍ〜十数ｍ離れたところで、小魚釣りをしたり、数人が集まって釣り談義をしたり、生き餌の予備を釣ったり、又釣り友の釣法について評価、評論等十数ｍ離れたところでしていて、魚が掛かり、リールのスプールから道糸がどんどん出て行っているのに気づくのが遅れ、又は竿の置き竿の位置迄行く間に距離があり、竿の位置迄行った時には、道糸が全部出ていたり、道糸の残りが少なくなっていて、慌ててドラッグを締めて糸切れに繋がったりして、貴重なチャンスを逃してしまう事が1〜2割発生している。
（鈴では音が小さいのと、特に風が強めに吹いたり、雨がふったりすると、道糸がガイドに絡んだりするので、鈴では不十分である）
この貴重なチャンスをモノにする事が課題である。
【課題を解決するための手段】
【０００６】
第一の発明は、スピニングリールのスプール部（１１ｂ−１）のみの回転を、振音体に振動を与え振動音を発生させる構造で、
上記音を出す振音発生構造は、スプール部（１１ｂ−１）に振音体を懸吊し振音体に振動を与え振動音を発生させる物と、スプール部（１１ｂ−１）にリード機構を設け振動させる物と、スプール部（１１ｂ−１）及びローターに打音発生構造を設けた物との何れかを、スピニングリールのスプール部（１１ｂ−１）を主として設けたことを特徴とする、発音構造を有するリールを提供する。
第二の発明は上記振動音を発生させる構造から発生した振動音をマイクロコントローラにて振動音波を受け、受けた振動音波を拡音し、スピーカー部（１１ｂ−２ｈ）で拡音した音を出すことを特徴とする、発音構造を有するリールを提供する。
【０００７】
上記振音体発生構造はリールの中心軸（１１ｂ−２ａ）に振音体を懸吊する懸吊体（１１ｂ−１ａ）と、上記懸吊体に振音体｛１１ｂ−１ｂ，（１１ｂ−１ｃ）｝を懸吊して設け、
リール（１１ｂ）のスプール部（１１ｂ−１）内面に上記懸吊体の振音体に振動を与え、振音体を振動させる、少なくとも１個の凸片（１１ｂ−１Ｂ）を設け、
上記懸吊体とスプール部（１１ｂ−１）内面に設けた凸片（１１ｂ−１Ｂ）の激突により
上記振音体に振動を与え、振動により発音する構造を設けた、発音構造を有するリールを提供する。
【０００８】
上記スピニングリールの、ローター（１１ｂ−２）は回らずスプール部（１１ｂ−１）のみが回転するのを感知する構造を設け、音を出す機構を発明して解決した。
【発明の効果】
【０００９】
当たりが無い時の暇つぶしが安心して出来、釣果が少なくとも1割は上がった。
【００１０】
歯を有する中型魚に餌を取られる当たりも感知出来る確率が上がった
【図面の簡単な説明】
【００１１】
【図１】（イ）スピニングリールの上面図、部分断面図（１１ｂ−Ｚａ）          （ロ）振音体の（一例鈴体の）懸吊（一部断面）図          （ハ）振音体の（一例筒体の）懸吊（一部断面）図          （ホ）ハの受振動時の状態（一部断面）図          （ヘ）イの側面図（一例筒体の）懸吊図（一部断面）          （ト）イの側面図（一例鈴体の）懸吊図（一部断面）
【図２】（イ）リード機構の発音機構のスピニングリールの側面図、部分断面図                  （ロ）イの上面図、部分断面図          （ハ）リード機構の透視図、部分断面図
【図３】（イ）スプールと支持アーム体に発音機構を設けた、スピニングリールの側面図、部分断面図          （ロ）イの上面図、部分断面図  ・（ａ）、（ｂ）発音、作動要領図
【図４】（イ）電気制御を使用した発音機構のスピニングリールの側面図、          （ロ）イの上面図、部分Ｍ−Ｍ断面図            （ハ）ロのＸ部拡大図・距離の差の検知する、媒体エネルギーの反射体の設置要領図          （ホ）ハと同様な媒体エネルギーの反射率の差の反射体の検知要領図          （ヘ）スプールに割溝を設け媒体エネルギーの反射の有無の検知要領図          （ト）媒体エネルギーの反射角度を受信体に集中させる物の検知要領図                （チ）反射体を磁性体に媒体エネルギーを磁気にした検知要領図          （リ）トのＰ矢視図          （ヌ）トのＮ矢視図
【図５】分割前の特願２０１２−０９８０６での釣りでのリールの使用概略図
【発明を実施するための形態】
【００１２】
本願は遠投のきくスピニングリールで記載しているがその他の形式のリールにも応用できる。
【００１３】
ＩＣチップを使用のマイクロコントローラー（ワンチップマイコン）で記載しているが、
他の電気制御回路を使用することも出来る。
【実施例】
【００１４】
図面に於けるそれぞれの寸法関係は、重要部分は拡大し、詳細が解り難いところは誇張している、また広範囲部分、又は本願発明で重要度の低い部分を、記載する時は縮小している、従って図面間及び図面内の寸法は比例していないし、実寸、縮尺寸法ではない。
又線間の間隔が狭い場合スキャンの段階で黒く太く１本の線に成り易いので、線間の間隔を広げたり、１本の線で書いていたりしている。
更に本願発明の根幹（主要）機構以外部に付いては、図面間で省略している部分もある。
【００１５】
第一の発明は、スピニングリールのドラッグを緩め置き竿状態で、当たりがあり、大型魚が沖方向に逃げる時、リールのローター（１１ｂ−２）本体は回らず、スプール部（１１ｂ−１）のみが回転する時、音を出す機構を設けたもので、本願発明は浮き釣りと違って置き竿をして当たりを待つ、ブッコミ釣り（1日に数回当たりが有れば良いほう）なので暇を持て余し、小魚を釣たりして暇を潰したりしているので、大型魚が掛かり沖方向に逃げ、スプール部（１１ｂ）から道糸がどんどん出てっている事に気付かず、道糸が全部出てしまつていたり、気が付いた時にはスプールの糸が少なく成っていて、慌ててリールのドラッグを締めたりして糸切れし、数少ないチャンスをのがす事が１〜３割発生している。
この状態を本願発明の音を出す機構を設けることで、数少ないチャンスをものにする事が出来る。（掛った魚の取り込み率が少なくとも1割は上がる）    
【００１６】
上記スピニングリールの音を出す機構がスプール部（１１ｂ−１）の内空間部に、振音発生構造を設けたもので、
上記振音発生構造はリールの中心軸（１１ｂ−２ａ）に振音体を懸吊する懸吊体（１１ｂ−１ａ）と、上記懸吊体に振音体｛１１ｂ−１ｂ，（１１ｂ−１ｃ）｝を懸吊して設け、
リール（１１ｂ）のスプール部（１１ｂ−１）内面に上記懸吊体の振音体に振動を与え、振音体を振動させる、少なくとも１個の凸片（１１ｂ−１Ｂ）を設け、
上記懸吊体とスプール部（１１ｂ−１）内面に設けた凸片（１１ｂ−１Ｂ）の激突により
上記振音体に振動を与え、振動により発音する構造を設けた、発音構造を有するリール。
上記第一の発明に記載の、振音体を懸吊する発音機構であって、１図に記載の発音機構はスピニングリール（１１ｂ）のローターの中心軸（１１ｂ−２ａ）に、嵌合し（周り止め付）、受振動により発音する振音体を懸吊する懸吊体（１１ｂ−１ａ）を設け、前記懸吊体には少なくとも１個の受振動により発音する振音体｛１１ｂ−１ｂは鈴体で（ロ図）金属でも樹脂（鈴の外郭体の一例はポリスチレン製で、中には金属の玉が少なくとも１個入っている）でも良く｝を懸吊して設け、前記スプール部の内面に少なくとも１個の弾性性状を有する凸片（この図の場合はスプール部上から下方に向けて固着され、かつ、懸吊体の支持柱部にスプールが回れば当たり、更に回れば弾性力で懸吊体の支持柱部を乗り越え弾性復帰力で元に戻り続いて回ってくる懸吊体の支持柱部に当たるを繰り返す凸片、１１ｂ−１Ｂである）を設け（イ・ヘ・ト図）、前記凸片と懸吊体の激突により振音体に振動を与え、振音体を振動させて、音を発生させるものである。
【００１７】
図１（ハ）・（ホ）に記載の振音体（１１ｂ−１ｃ）は上記発音機構Ｂタイプ1例であって、前段落に記載の振音体｛１１ｂ−１ｂ、の鈴体が筒体構造のチャペルの鐘のイメージに変わった物で）筒体の一方の端面に蓋をして中に打撃構造体を設けたもので、前記打撃構造体は先端部に固い打撃体を固着した線体もしくは棒体（１１ｂ−１ｆ）を、筒体の一方の端面に蓋をした蓋の中心部を貫通し、前記懸吊体に、懸吊し、かつ，前記線体もしくは棒体には、前記筒体が抜け落ちない凸部（１１ｂ−１ｃ２）を設け釣支した物で、
発音機構はスピニングリール（１１ｂ）のローターの中心軸（１１ｂ−２ａ）に、嵌合し（周り止め付）、受振動により発音する振音体を懸吊する懸吊体（１１ｂ−１ａ）を設け、前記懸吊体には少なくとも１個の受振動により発音する振音体（１１ｂ−１ｃ）を懸吊して設け、前記スプール部の内面に少なくとも１個の弾性性状を有する凸片（この図の場合はスプール部上から下方に向けて固着され、かつ、懸吊体の支持柱部にスプールが回れば当たり、更に回れば弾性力で懸吊体の支持柱部を乗り越え弾性復帰力で元に戻り続いて回ってくる懸吊体の支持柱部に当たるを繰り返す凸片、１１ｂ−１Ｂである）を設け（イ・ヘ・ト図）、前記凸片と懸吊体の激突により振音体に振動を与え、振音体を振動させて、音を発生させるものである。
大型魚が掛かりリールのローター本体（１１ｂ−２）は回らず、スプール部のみが回り、道糸がどんどん出てっている事を音で釣り人に知らせる、リールの発音機構の１例である。
【００１８】
上記第一の発明の、リード機構をスプール部（１１ｂ−１）に設けた発音機構であって、前記発音機構はスピニングリール（１１ｂ）のスプール部（１１ｂ−１）の外周側面に少なくとも１個の集気翼（１１ｂ−１ｑ）を大径方向に突き出す形にして設け、前記集気翼奥に（サクソフォーンや玩具のラッパ等の気鳴楽器のマウスピース等に設けられている）集気された空気の通過により振動し発音するリード機構｛（１１ｂ−１ｈ〜１１ｂ−１ｊ）｝をスプール部の外周側面に設け、前記リード機構で発音した音を、前記リールスプール下部の開口部（１１ｂ−１ｋ）を、音を放音する放音口として設けたリールの発音機構。
【００１９】
図２は前記発音機構の例図であって前記発音機構はスピニングリールのスプール部（１１ｂ−１）に集気翼（１１ｂ−１ｑ）をスプールの外周側面の大径方向に突き出す形にして設け、更にリード機構（ハ図）を取り付けた１部断面図で、本願発明ではリールのドラッグ｛図２（イ）で見る時スプール部（１１ｂ−１）の左端の凸部がドラッグの締め・弛めの操作部であり、この摘み部分を緩め方向に回す（大多数のリールは時計回りに回せば締まる)ことを、ドラッグを締めると言う、締めているとリールのローター本体（１１ｂ−２）が回りスプール部（１１ｂ−１）は回らず道糸は巻ける、ドラッグの緩め加減により、｛自動車のクラッチ（オートマチックではない）の半クラッチと同じ様に締着不十分状態で、回り方が滑りながら回る様に成り、完全に緩めるとローターを回してもスプール部は付いて回る状態になる｝、リールのハンドルを回してもスプールは付いて回る状態にセットして置き竿をしているので、魚が掛かりリールのローター本体は回らず、スプール部のみが回ると上記スプール部（１１ｂ−１）に設けた集気翼（１１ｂ−１ｑ）から集気した空気が、リード機構の筒体（１１ｂ−１１）に入り、筒体（１１ｂ−１１）内のリードにより発音する、リールの発音機構のリード機構（ハ図）を発音機構としたもので有る。
【００２０】
リード機構は多数種あるがその中の１例として図２（ハ図）を説明する、
例示しているリード機構は、シングルリードと呼ばれている物で、一枚の薄片が振動し音を出す振動片（１１ｂ−１ｈ２）と、薄片の振動音を共鳴させる共鳴部（１１ｂ−１ｈ１）と、それらの収納筒体部（１１ｂ−１ｊ）と、前記振動片と共鳴部とを収納筒体部に支持する支持部（１１ｂ−１ｈ３）とで構成され、収納筒体部の左右何れかから空気が、前記振動片と共鳴部との入り口の間から吹き込まれる時、前記振動片が振動し前記共鳴部で拡音され音を出すもので、リード機構全てをプラスチック製にすることも出来る。
【００２１】
上記第一の発明の、打撃構造体による発音機構であって、前記発音機構はスピニングリールのスプール部（１１ｂ−１）の外周側面に、少なくとも１個の軸線方向の凸部（１１ｂ−１ｍ２）と軸線方向に固着した弾性板（１１ｂ−１ｎ）を一方の振音発生機構として設け、前記一方の振音発生機構に打撃を与え発音さす打撃構造体をリール支持アーム体（１１ｂ−２ｂ）に他方の振音発生機構として設け、前記設けたリール支持アーム体には、リールのスプール部の巻糸動作による上下動に対応可能な少なくとも１個の打撃部（１１ｂ−２ｃ２）と、打撃部を保持（固定）するリール軸線方向に設けた保持体（１１ｂ−２ｃ１）を、前記スプール部の外周側面に付勢（付勢機構の弾性体は１１ｂ−２ｃＤ）させて設け、｛前記付勢機構は、打撃部を保持（固定）するリール軸線方向に保持体（１１ｂ−２ｃ１）の下部｛図２１（イ）で見る時左上角部｝に弾性体と弾性体保持機構を設けて常にスプール部の外周側面に付勢させている、｝ローター本体（１１ｂ−２）は回らず、スプール部（１１ｂ−１）のみの回転により、一方の振音発生機構と他方の振音発生機構の打撃部との（付勢力による）激突（１１ｂ−１）により、音を出す機構で、
【００２２】
図３（イ）、はスピニングリールのローター本体（１１ｂ−２）とスプール部（１１ｂ−１）の側面図で、実線のスプール部は上下動する時の最上に位置した図で、仮想線のスプール部は最下に位置した図であり、スプール部の外側周面に軸線方向の凸部（１１ｂ−１ｍ２）と軸線方向に固着した弾性板（１１ｂ−１ｎ）を設け、リール支持アーム体（１１ｂ−２ｂ）に打撃部（１１ｂ−２ｃ２）と打撃部を保持（固定）するリール軸線方向に保持体（１１ｂ−２ｃ１）を、前記スプール部の外周側面に付勢させて設けた１例図で、図２１（ロ）、は（イ）の上面図で部分Ｌ−Ｌ断面図であり、前述側面図のスプール部とリール支持アーム体に設けた振音発生機構の配置を上面図で（部分Ｌ−Ｌ断面図で）表した物で、
（ロ）でスプール部のみが回り、リール支持アーム体と一体のローター本体（１１ｂ−２）は回らない時、スプール部が矢印（時計）方向に回ると、打撃部を保持（固定）している保持体（１１ｂ−２ｃ１）の打撃部（１１ｂ−２ｃ２）が、スプール部（１１ｂ−１）の外周側面に設けた、軸線方向の凸部（１１ｂ−１ｍ２）に乗り上げ（ロ、ｂ図）、更に回ると前記凸部を乗り越え付勢している弾性体（１１ｂ−２ｃＤ）の弾性復帰力により弾性板（１１ｂ−１ｎ）に激突し（ロ、ａ図）打撃音を発生させるリールの発音機構。
【００２３】
前記発音機構のスプール部（１１ｂ−１）の内空間部に、振音発生構造を設けたものと、リード機構をスプール部（１１ｂ−１）に設けたものと、 スプール部（１１ｂ−１）及びローターに打撃構造体を設けたものとの、何れかの構造から発振された音波を、マイクロコントローラー（ワンチップマイコン）を設け、前記マイクロコントローラーを収納する、収納ボックス（１１ｂ−２ｂ・図２２イ、ロ、リ、ヌ）を、一例としてリール支持アーム体（１１ｂ−２ｂ）に設け収納し、マイクロコントローラにて振動音波を受け、受けた振動音波を拡音し、スピーカー部（１１ｂ−２ｈ）で音を出し、数ｍから、十数ｍ離れた位置にいる、当該釣竿で釣ろうとしている釣り人に、大型魚が掛かり、道糸がどんどん出ていつている事を知らせる物で、４図記載の収納ボックスは一例としてリール支持アーム体（１１ｂ−２ｂ）に設けているがリール本体部の設置出来る場所なら何れの場所でも良い。
【００２４】
前記発音機構の振音発生構造を設けたものとスプール部（１１ｂ−１）の内空間部に、振音発生構造を設けたものと、リード機構をスプール部（１１ｂ−１）に設けたものと、 打撃構造体を設けた物とに記載の発音機構で、ドラッグを緩め、置き竿をした時、前段落に記載のマイクロコントローラの制御は、マイクロコントローラの電源スイッチを手動でＯＮ→発音機構から発振された音波受け→スピーカ部（１１ｂ−２ｈ）で拡音した音を発音→（置き竿を取り）ローター又はリールハンドルを回す等、道糸巻きあげ動作（前記糸巻動作をするとスプールが上もしくは下に動く）検知→マイクロコントローラのスイッチを自動でＯＦＦ（電源は乾電池を代表とするポータブルな物）、の制御回路での、スピニングリールの発音機構。
【符号の説明】
【００２５】
１１ａ      竿本体。
１１ｂ，    リール（スピニングリール）。
１１ｂ−１  リールのスプール（
１１ｂ−１Ｂ、スプール内面に設けた凸片  ・
１１ｂ−１Ｚａスプール内面の懸吊状態を示す断面部、  ・
１１ｂ−１ａ、懸吊体    ・
１１ｂ−１ｂ,鈴体を代表とする振音体  ・
１１ｂ−１ｃ，筒体で構成した振音体  ・
１１ｂ−１ｄ，振音体の懸吊体への懸吊部  ・
１１ｂ−１ｅ，鈴体内の鋼鉄又は準ずる物  ・
１１ｂ−１ｆ，振音体打撃部を固定している棒体もしくは線体  ・
１１ｂ−１ｈ，リード機構  ・
１１ｂ−１ｈ１，振音を共鳴させる共鳴部  ・
１１ｂ−１ｈ２，薄片の振動片  ・
１１ｂ−１ｈ３，共鳴部と振動片とを支持する筒体支持部  ・
１１ｂ−１ｊ，共鳴部と振動片と筒体支持部を収納する筒体  ・
１１ｂ−１ｋスプール下部の開口部  ・
１１ｂ−１ｑ集気翼，  ・
１１ｂ−１ｍ１，スプール外周面  ・
１１ｂ−１ｍ２，外周面の凸部  ・
１１ｂ−１ｎ，外周面の弾性板  ・
１１ｂ−１ｐ，外周面の切割溝部  ・
１１ｂ−１ｒ１，外周面のセンサーエネルギー通過溝  ・
１１ｂ−１ｒ２，センサー媒体エネルギーの反射体  ・
１１ｂ−１ｒ３、媒体エネルギーの差を感知させる反射体  ・
１１ｂ−１ｒ４、エネルギーの反射率の異なる反射体  ・
１１ｂ−１ｒ５、エネルギーの反射角度の異なる反射体  ・
１１ｂ−１ｒ６磁石エネルギーのセンサー  ・
１１ｂ−１ｐ，外周面の切割溝部。
１１ｂ−２，リールのローター部
１１ｂ−２ａ、ローター部の中心軸  
１１ｂ−２ｂ, リールの支持アーム  
１１ｂ−２ｃ１, 支持アーム保持体  
１１ｂ−２ｃ２, 支持アーム保持体に固着されている打撃部
１１ｂ−２ｃＤ,付勢機構の弾性体  
１１ｂ−２ｄ、マイクロコントローラー収納ボックス,   
１１ｂ−２ｅ，光発信ランプ、
１ｂ−２Ｆ１、媒体エネルギーの受信部  
１１ｂ−２Ｆ２、媒体エネルギーの発信部、
１１ｂ−２ｈ,スピーカー部、
１１ｂ−２ｊ,集音マイク部）。
１４、      当たりを知らせる物（例えば音を出すもの）。
【手続補正２】
【補正対象書類名】特許請求の範囲
【補正対象項目名】全文
【補正方法】変更
【補正の内容】
【特許請求の範囲】
【請求項１】
スピニングリールのスプール部（１１ｂ−１）のみの回転を、振音体に振動を与え振動音を発生させる構造で、
上記音を出す振音発生構造は、スプール部（１１ｂ−１）に振音体を懸吊し振音体に振動を与える物と、スプール部（１１ｂ−１）にリード機構を設け振動させる物と、スプール部（１１ｂ−１）及びローターに打音発生構造を設けた物との何れかを、スピニングリールのスプール部（１１ｂ−１）を主として設けたことを特徴とする、発音構造を有するリール。
【請求項２】
上記振動音を発生させる構造から発生した振動音をマイクロコントローラにて振動音波を受け、受けた振動音波を拡音し、スピーカー部（１１ｂ−２ｈ）で拡音した音を出す発音構造を有するリール。
【手続補正書】
【提出日】平成25年4月11日(2013.4.11)
【手続補正１】
【補正対象書類名】明細書
【補正対象項目名】全文
【補正方法】変更
【補正の内容】
【発明の詳細な説明】
【技術分野】
【０００１】
すずき（はね）ぶり（はまち、）さわら、かんぱち，ひらめ、しまあじ、等の沿岸回遊大型魚・中型魚釣りのリールに、関する技術である。
【背景技術】
【０００２】
リールのドラックを緩めて、置き竿をして当たりを待つ釣法に使用するリールで、魚が掛かりリールのスプールから道糸がどんどん出て行っているのを、音で知らせる発音機構を有する、スピニングリールに関する公開先行文献は見つける事が出来なかった。
【先行技術文献】
【特許文献】
【０００３】
【特許文献１】特願２０１２−０９０８０６
【０００４】
先端に錘を付け、続いて水中浮きを付けて投げ竿で投げ、後着けで生き餌を付けた枝ハリス（８）を、海中に降ろしリールを巻いて道糸を張り、生き餌を付けた枝ハリスを魚道に近い棚に導き入れ、大型魚釣りの初心者でも浮き釣より勝る釣果を得られる、泳がせ釣りで使用する発音機構を有する、スピニングリールに関する技術（例えば特許文献１）がある。
【発明の概要】
【発明が解決しようとする課題】
【０００５】
すずき（はね）ぶり（はまち、）さわら、かんぱち，ひらめ、しまあじ、等の沿岸回遊大型魚・中型魚釣りで、リールのドラックを緩めて、置き竿をして当たりを待つ釣法に於いて、魚が掛かりリールのスプールから道糸がどんどん出て行っているのを、音で知らせる発音機構を有する、スピニングリールは無いので、竿の先端に鈴をつけているが、大型魚・中型魚釣りでは1日に数回当たりが有れば良いほうなので、釣り人は暇を持て余し数ｍ〜十数ｍ離れたところで、小魚釣りをしたり、数人が集まって釣り談義をしたり、生き餌の予備を釣ったり、又釣り友の釣法について評価、評論等十数ｍ離れたところでしていて、魚が掛かり、リールのスプールから道糸がどんどん出て行っているのに気づくのが遅れ、又は竿の置き竿の位置迄行く間に距離があり、竿の位置迄行った時には、道糸が全部出ていたり、道糸の残りが少なくなっていて、慌ててドラッグを締めて糸切れに繋がったりして、貴重なチャンスを逃してしまう事が1〜2割発生している。
（鈴では音が小さいのと、特に風が強めに吹いたり、雨がふったりすると、道糸がガイドに絡んだりするので、鈴では不十分である）
この貴重なチャンスをモノにする事が課題である。
【課題を解決するための手段】
【０００６】
第一の発明は、スピニングリールのスプール部（１１ｂ−１）のみが回転したときに、振動音を発生させる振音発生構造を備え、上記振音発生構造は、
(1)   スプール部の中心軸に設けた懸吊体(１１ｂ−１ａ)と、上記懸吊体に懸吊した振音体(１１ｂ−１ｂ, １１ｂ−１c)と、スプール部内面に設けた凸片(１１ｂ−１Ｂ)とを備え、スプール部が回転したときに、懸吊体と凸片との激突により、振音体に振動を与えて発音させる構造
(2) スプール部の外周面に設けた集気翼(１１ｂ−１ｑ)と、上記集気翼の奥に設けられ、集気された空気の通過により振動し発音するリード機構(１１ｂ−１ｈ)とを備え、スプール部が回転したときに、集気翼により集気した空気がリード機構を通過することで発音させる構造
(3) スプール部の外周面に設けた凸部（１１ｂ−１ｍ２）及び弾性板（１１ｂ−１ｎ）と、ローター（１１ｂ−２）に設けられ、スプール部の外周面に向けて付勢された打激部とを備え、スプール部が回転したときに、凸部を乗り越えた打激部が弾性板に激突することにより打激音を発生させる構造
の何れかであることを特徴とする、発音構造を有するリール。
第二の発明は上記振音発音構造から発生した振動音波を拡音し、スピーカー部（１１ｂ−２ｈ）で拡音した音を出すことを特徴とする、請求項１に記載の発音構造を有するリール。
【０００７】
上記振音体発生構造はリールの中心軸（１１ｂ−２ａ）に振音体を懸吊する懸吊体（１１ｂ−１ａ）と、上記懸吊体に振音体｛１１ｂ−１ｂ，（１１ｂ−１ｃ）｝を懸吊して設け、
リール（１１ｂ）のスプール部（１１ｂ−１）内面に上記懸吊体の振音体に振動を与え、振音体を振動させる、少なくとも１個の凸片（１１ｂ−１Ｂ）を設け、
上記懸吊体とスプール部（１１ｂ−１）内面に設けた凸片（１１ｂ−１Ｂ）の激突により
上記振音体に振動を与え、振動により発音する構造を設けた、発音構造を有するリールを提供する。
【０００８】
上記スピニングリールの、ローター（１１ｂ−２）は回らずスプール部（１１ｂ−１）のみが回転するのを感知する構造を設け、音を出す機構を発明して解決した。
【発明の効果】
【０００９】
当たりが無い時の暇つぶしが安心して出来、釣果が少なくとも1割は上がった。
【００１０】
歯を有する中型魚に餌を取られる当たりも感知出来る確率が上がった
【図面の簡単な説明】
【００１１】
【図１】（イ）スピニングリールの上面図、部分断面図（１１ｂ−Ｚａ）          （ロ）振音体の（一例鈴体の）懸吊（一部断面）図          （ハ）振音体の（一例筒体の）懸吊（一部断面）図          （ホ）ハの受振動時の状態（一部断面）図          （ヘ）イの側面図（一例筒体の）懸吊図（一部断面）          （ト）イの側面図（一例鈴体の）懸吊図（一部断面）
【図２】（イ）リード機構の発音機構のスピニングリールの側面図、部分断面図                  （ロ）イの上面図、部分断面図          （ハ）リード機構の透視図、部分断面図
【図３】（イ）スプールと支持アーム体に発音機構を設けた、スピニングリールの側面図、部分断面図          （ロ）イの上面図、部分断面図  ・（ａ）、（ｂ）発音、作動要領図
【図４】（イ）電気制御を使用した発音機構のスピニングリールの側面図、          （ロ）イの上面図、部分Ｍ−Ｍ断面図            （ハ）ロのＸ部拡大図・距離の差の検知する、媒体エネルギーの反射体の設置要領図          （ホ）ハと同様な媒体エネルギーの反射率の差の反射体の検知要領図          （ヘ）スプールに割溝を設け媒体エネルギーの反射の有無の検知要領図          （ト）媒体エネルギーの反射角度を受信体に集中させる物の検知要領図                （チ）反射体を磁性体に媒体エネルギーを磁気にした検知要領図          （リ）トのＰ矢視図          （ヌ）トのＮ矢視図
【図５】分割前の特願２０１２−０９８０６での釣りでのリールの使用概略図
【発明を実施するための形態】
【００１２】
本願は遠投のきくスピニングリールで記載しているがその他の形式のリールにも応用できる。
【００１３】
ＩＣチップを使用のマイクロコントローラー（ワンチップマイコン）で記載しているが、
他の電気制御回路を使用することも出来る。
【実施例】
【００１４】
図面に於けるそれぞれの寸法関係は、重要部分は拡大し、詳細が解り難いところは誇張している、また広範囲部分、又は本願発明で重要度の低い部分を、記載する時は縮小している、従って図面間及び図面内の寸法は比例していないし、実寸、縮尺寸法ではない。
又線間の間隔が狭い場合スキャンの段階で黒く太く１本の線に成り易いので、線間の間隔を広げたり、１本の線で書いていたりしている。
更に本願発明の根幹（主要）機構以外部に付いては、図面間で省略している部分もある。
【００１５】
第一の発明は、スピニングリールのドラッグを緩め置き竿状態で、当たりがあり、大型魚が沖方向に逃げる時、リールのローター（１１ｂ−２）本体は回らず、スプール部（１１ｂ−１）のみが回転する時、音を出す機構を設けたもので、本願発明は浮き釣りと違って置き竿をして当たりを待つ、ブッコミ釣り（1日に数回当たりが有れば良いほう）なので暇を持て余し、小魚を釣たりして暇を潰したりしているので、大型魚が掛かり沖方向に逃げ、スプール部（１１ｂ）から道糸がどんどん出てっている事に気付かず、道糸が全部出てしまつていたり、気が付いた時にはスプールの糸が少なく成っていて、慌ててリールのドラッグを締めたりして糸切れし、数少ないチャンスをのがす事が１〜３割発生している。
この状態を本願発明の音を出す機構を設けることで、数少ないチャンスをものにする事が出来る。（掛った魚の取り込み率が少なくとも1割は上がる）    
【００１６】
上記スピニングリールの音を出す機構がスプール部（１１ｂ−１）の内空間部に、振音発生構造を設けたもので、
上記振音発生構造はリールの中心軸（１１ｂ−２ａ）に振音体を懸吊する懸吊体（１１ｂ−１ａ）と、上記懸吊体に振音体｛１１ｂ−１ｂ，（１１ｂ−１ｃ）｝を懸吊して設け、
リール（１１ｂ）のスプール部（１１ｂ−１）内面に上記懸吊体の振音体に振動を与え、振音体を振動させる、少なくとも１個の凸片（１１ｂ−１Ｂ）を設け、
上記懸吊体とスプール部（１１ｂ−１）内面に設けた凸片（１１ｂ−１Ｂ）の激突により
上記振音体に振動を与え、振動により発音する構造を設けた、発音構造を有するリール。
上記第一の発明に記載の、振音体を懸吊する発音機構であって、１図に記載の発音機構はスピニングリール（１１ｂ）のローターの中心軸（１１ｂ−２ａ）に、嵌合し（周り止め付）、受振動により発音する振音体を懸吊する懸吊体（１１ｂ−１ａ）を設け、前記懸吊体には少なくとも１個の受振動により発音する振音体｛１１ｂ−１ｂは鈴体で（ロ図）金属でも樹脂（鈴の外郭体の一例はポリスチレン製で、中には金属の玉が少なくとも１個入っている）でも良く｝を懸吊して設け、前記スプール部の内面に少なくとも１個の弾性性状を有する凸片（この図の場合はスプール部上から下方に向けて固着され、かつ、懸吊体の支持柱部にスプールが回れば当たり、更に回れば弾性力で懸吊体の支持柱部を乗り越え弾性復帰力で元に戻り続いて回ってくる懸吊体の支持柱部に当たるを繰り返す凸片、１１ｂ−１Ｂである）を設け（イ・ヘ・ト図）、前記凸片と懸吊体の激突により振音体に振動を与え、振音体を振動させて、音を発生させるものである。
【００１７】
図１（ハ）・（ホ）に記載の振音体（１１ｂ−１ｃ）は上記発音機構Ｂタイプ1例であって、前段落に記載の振音体｛１１ｂ−１ｂ、の鈴体が筒体構造のチャペルの鐘のイメージに変わった物で）筒体の一方の端面に蓋をして中に打撃構造体を設けたもので、前記打撃構造体は先端部に固い打撃体を固着した線体もしくは棒体（１１ｂ−１ｆ）を、筒体の一方の端面に蓋をした蓋の中心部を貫通し、前記懸吊体に、懸吊し、かつ，前記線体もしくは棒体には、前記筒体が抜け落ちない凸部（１１ｂ−１ｃ２）を設け釣支した物で、
発音機構はスピニングリール（１１ｂ）のローターの中心軸（１１ｂ−２ａ）に、嵌合し（周り止め付）、受振動により発音する振音体を懸吊する懸吊体（１１ｂ−１ａ）を設け、前記懸吊体には少なくとも１個の受振動により発音する振音体（１１ｂ−１ｃ）を懸吊して設け、前記スプール部の内面に少なくとも１個の弾性性状を有する凸片（この図の場合はスプール部上から下方に向けて固着され、かつ、懸吊体の支持柱部にスプールが回れば当たり、更に回れば弾性力で懸吊体の支持柱部を乗り越え弾性復帰力で元に戻り続いて回ってくる懸吊体の支持柱部に当たるを繰り返す凸片、１１ｂ−１Ｂである）を設け（イ・ヘ・ト図）、前記凸片と懸吊体の激突により振音体に振動を与え、振音体を振動させて、音を発生させるものである。
大型魚が掛かりリールのローター本体（１１ｂ−２）は回らず、スプール部のみが回り、道糸がどんどん出てっている事を音で釣り人に知らせる、リールの発音機構の１例である。
【００１８】
上記第一の発明の、リード機構をスプール部（１１ｂ−１）に設けた発音機構であって、前記発音機構はスピニングリール（１１ｂ）のスプール部（１１ｂ−１）の外周側面に少なくとも１個の集気翼（１１ｂ−１ｑ）を大径方向に突き出す形にして設け、前記集気翼奥に（サクソフォーンや玩具のラッパ等の気鳴楽器のマウスピース等に設けられている）集気された空気の通過により振動し発音するリード機構｛（１１ｂ−１ｈ〜１１ｂ−１ｊ）｝をスプール部の外周側面に設け、前記リード機構で発音した音を、前記リールスプール下部の開口部（１１ｂ−１ｋ）を、音を放音する放音口として設けたリールの発音機構。
【００１９】
図２は前記発音機構の例図であって前記発音機構はスピニングリールのスプール部（１１ｂ−１）に集気翼（１１ｂ−１ｑ）をスプールの外周側面の大径方向に突き出す形にして設け、更にリード機構（ハ図）を取り付けた１部断面図で、本願発明ではリールのドラッグ｛図２（イ）で見る時スプール部（１１ｂ−１）の左端の凸部がドラッグの締め・弛めの操作部であり、この摘み部分を緩め方向に回す（大多数のリールは時計回りに回せば締まる)ことを、ドラッグを締めると言う、締めているとリールのローター本体（１１ｂ−２）が回りスプール部（１１ｂ−１）は回らず道糸は巻ける、ドラッグの緩め加減により、｛自動車のクラッチ（オートマチックではない）の半クラッチと同じ様に締着不十分状態で、回り方が滑りながら回る様に成り、完全に緩めるとローターを回してもスプール部は付いて回る状態になる｝、リールのハンドルを回してもスプールは付いて回る状態にセットして置き竿をしているので、魚が掛かりリールのローター本体は回らず、スプール部のみが回ると上記スプール部（１１ｂ−１）に設けた集気翼（１１ｂ−１ｑ）から集気した空気が、リード機構の筒体（１１ｂ−１１）に入り、筒体（１１ｂ−１１）内のリードにより発音する、リールの発音機構のリード機構（ハ図）を発音機構としたもので有る。
【００２０】
リード機構は多数種あるがその中の１例として図２（ハ図）を説明する、
例示しているリード機構は、シングルリードと呼ばれている物で、一枚の薄片が振動し音を出す振動片（１１ｂ−１ｈ２）と、薄片の振動音を共鳴させる共鳴部（１１ｂ−１ｈ１）と、それらの収納筒体部（１１ｂ−１ｊ）と、前記振動片と共鳴部とを収納筒体部に支持する支持部（１１ｂ−１ｈ３）とで構成され、収納筒体部の左右何れかから空気が、前記振動片と共鳴部との入り口の間から吹き込まれる時、前記振動片が振動し前記共鳴部で拡音され音を出すもので、リード機構全てをプラスチック製にすることも出来る。
【００２１】
上記第一の発明の、打撃構造体による発音機構であって、前記発音機構はスピニングリールのスプール部（１１ｂ−１）の外周側面に、少なくとも１個の軸線方向の凸部（１１ｂ−１ｍ２）と軸線方向に固着した弾性板（１１ｂ−１ｎ）を一方の振音発生機構として設け、前記一方の振音発生機構に打撃を与え発音さす打撃構造体をリール支持アーム体（１１ｂ−２ｂ）に他方の振音発生機構として設け、前記設けたリール支持アーム体には、リールのスプール部の巻糸動作による上下動に対応可能な少なくとも１個の打撃部（１１ｂ−２ｃ２）と、打撃部を保持（固定）するリール軸線方向に設けた保持体（１１ｂ−２ｃ１）を、前記スプール部の外周側面に付勢（付勢機構の弾性体は１１ｂ−２ｃＤ）させて設け、｛前記付勢機構は、打撃部を保持（固定）するリール軸線方向に保持体（１１ｂ−２ｃ１）の下部｛図２１（イ）で見る時左上角部｝に弾性体と弾性体保持機構を設けて常にスプール部の外周側面に付勢させている、｝ローター本体（１１ｂ−２）は回らず、スプール部（１１ｂ−１）のみの回転により、一方の振音発生機構と他方の振音発生機構の打撃部との（付勢力による）激突（１１ｂ−１）により、音を出す機構で、
【００２２】
図３（イ）、はスピニングリールのローター本体（１１ｂ−２）とスプール部（１１ｂ−１）の側面図で、実線のスプール部は上下動する時の最上に位置した図で、仮想線のスプール部は最下に位置した図であり、スプール部の外側周面に軸線方向の凸部（１１ｂ−１ｍ２）と軸線方向に固着した弾性板（１１ｂ−１ｎ）を設け、リール支持アーム体（１１ｂ−２ｂ）に打撃部（１１ｂ−２ｃ２）と打撃部を保持（固定）するリール軸線方向に保持体（１１ｂ−２ｃ１）を、前記スプール部の外周側面に付勢させて設けた１例図で、図２１（ロ）、は（イ）の上面図で部分Ｌ−Ｌ断面図であり、前述側面図のスプール部とリール支持アーム体に設けた振音発生機構の配置を上面図で（部分Ｌ−Ｌ断面図で）表した物で、
（ロ）でスプール部のみが回り、リール支持アーム体と一体のローター本体（１１ｂ−２）は回らない時、スプール部が矢印（時計）方向に回ると、打撃部を保持（固定）している保持体（１１ｂ−２ｃ１）の打撃部（１１ｂ−２ｃ２）が、スプール部（１１ｂ−１）の外周側面に設けた、軸線方向の凸部（１１ｂ−１ｍ２）に乗り上げ（ロ、ｂ図）、更に回ると前記凸部を乗り越え付勢している弾性体（１１ｂ−２ｃＤ）の弾性復帰力により弾性板（１１ｂ−１ｎ）に激突し（ロ、ａ図）打撃音を発生させるリールの発音機構。
【００２３】
前記発音機構のスプール部（１１ｂ−１）の内空間部に、振音発生構造を設けたものと、リード機構をスプール部（１１ｂ−１）に設けたものと、    打撃構造体を設けたものとの、何れかの構造から発振された音波を、マイクロコントローラー（ワンチップマイコン）を設け、前記マイクロコントローラーを収納する、収納ボックス（１１ｂ−２ｂ・図２２イ、ロ、リ、ヌ）を、一例としてリール支持アーム体（１１ｂ−２ｂ）に設け収納し、マイクロコントローラにて振動音波を受け、受けた振動音波を拡音し、スピーカー部（１１ｂ−２ｈ）で音を出し、数ｍから、十数ｍ離れた位置にいる、当該釣竿で釣ろうとしている釣り人に、大型魚が掛かり、道糸がどんどん出ていつている事を知らせる物で、４図記載の収納ボックスは一例としてリール支持アーム体（１１ｂ−２ｂ）に設けているがリール本体部の設置出来る場所なら何れの場所でも良い。
【００２４】
前記発音機構の振音発生構造を設けたものとスプール部（１１ｂ−１）の内空間部に、振音発生構造を設けたものと、リード機構をスプール部（１１ｂ−１）に設けたものと、    打撃構造体を設けた物とに記載の発音機構で、ドラッグを緩め、置き竿をした時、前段落に記載のマイクロコントローラの制御は、マイクロコントローラの電源スイッチを手動でＯＮ→発音機構から発振された音波受け→スピーカ部（１１ｂ−２ｈ）で拡音した音を発音→（置き竿を取り）ローター又はリールハンドルを回す等、道糸巻きあげ動作（前記糸巻動作をするとスプールが上もしくは下に動く）検知→マイクロコントローラのスイッチを自動でＯＦＦ（電源は乾電池を代表とするポータブルな物）、の制御回路での、スピニングリールの発音機構。
【符号の説明】
【００２５】
１１ａ      竿本体。
１１ｂ，    リール（スピニングリール）。
１１ｂ−１  リールのスプール（
１１ｂ−１Ｂ、スプール内面に設けた凸片  ・
１１ｂ−１Ｚａスプール内面の懸吊状態を示す断面部、  ・
１１ｂ−１ａ、懸吊体    ・
１１ｂ−１ｂ,鈴体を代表とする振音体  ・
１１ｂ−１ｃ，筒体で構成した振音体  ・
１１ｂ−１ｄ，振音体の懸吊体への懸吊部  ・
１１ｂ−１ｅ，鈴体内の鋼鉄又は準ずる物  ・
１１ｂ−１ｆ，振音体打撃部を固定している棒体もしくは線体  ・
１１ｂ−１ｈ，リード機構  ・
１１ｂ−１ｈ１，振音を共鳴させる共鳴部  ・
１１ｂ−１ｈ２，薄片の振動片  ・
１１ｂ−１ｈ３，共鳴部と振動片とを支持する筒体支持部  ・
１１ｂ−１ｊ，共鳴部と振動片と筒体支持部を収納する筒体  ・
１１ｂ−１ｋスプール下部の開口部  ・
１１ｂ−１ｑ集気翼，  ・
１１ｂ−１ｍ１，スプール外周面  ・
１１ｂ−１ｍ２，外周面の凸部  ・
１１ｂ−１ｎ，外周面の弾性板  ・
１１ｂ−１ｐ，外周面の切割溝部  ・
１１ｂ−１ｒ１，外周面のセンサーエネルギー通過溝  ・
１１ｂ−１ｒ２，センサー媒体エネルギーの反射体  ・
１１ｂ−１ｒ３、媒体エネルギーの差を感知させる反射体  ・
１１ｂ−１ｒ４、エネルギーの反射率の異なる反射体  ・
１１ｂ−１ｒ５、エネルギーの反射角度の異なる反射体  ・
１１ｂ−１ｒ６磁石エネルギーのセンサー  ・
１１ｂ−１ｐ，外周面の切割溝部。
１１ｂ−２，リールのローター部
１１ｂ−２ａ、ローター部の中心軸  
１１ｂ−２ｂ, リールの支持アーム  
１１ｂ−２ｃ１, 支持アーム保持体  
１１ｂ−２ｃ２, 支持アーム保持体に固着されている打撃部
１１ｂ−２ｃＤ,付勢機構の弾性体  
１１ｂ−２ｄ、マイクロコントローラー収納ボックス,   
１１ｂ−２ｅ，光発信ランプ、
１ｂ−２Ｆ１、媒体エネルギーの受信部  
１１ｂ−２Ｆ２、媒体エネルギーの発信部、
１１ｂ−２ｈ,スピーカー部、
１１ｂ−２ｊ,集音マイク部）。
１４、      当たりを知らせる物（例えば音を出すもの）。
【手続補正２】
【補正対象書類名】特許請求の範囲
【補正対象項目名】全文
【補正方法】変更
【補正の内容】
【特許請求の範囲】
【請求項１】
スピニングリールのスプール部のみが回転したときに、振動音を発生させる振音発生構造を備え、上記振音発生構造は、
(1) スプール部の中心軸に設けた懸吊体と、上記懸吊体に懸吊した振音体と、スプール部内面に設けた凸片とを備え、スプール部が回転したときに、懸吊体と凸片との激突により、振音体に振動を与えて発音させる構造
(2)スプール部の外周面に設けた集気翼と、上記集気翼の奥に設けられ、集気された空気の通過により振動し発音するリード機構とを備え、スプール部が回転したときに、集気翼により集気した空気がリード機構を通過することで発音させる構造
(3)スプール部の外周面に設けた凸部及び弾性板と、ローターに設けられ、スプール部の外周面に向けて付勢された打激部とを備え、スプール部が回転したときに、凸部を乗り越えた打激部が弾性板に激突することにより打激音を発生させる構造
の何れかであることを特徴とする、発音構造を有するリール。
【請求項２】
上記振音発音構造から発生した振動音波を拡音し、スピーカー部で拡音した音を出すことを特徴とする、請求項１に記載の発音構造を有するリール。